(57)【要約】【目的】帯電した不揃いの紙束でも此れを一枚ずつ確実に解してその縁を短時間で良好に揃え得る紙束捌き装置を提供する。【構成】支持フレーム３の上部前面に、背面部１１と二つの斜面部１２Ａ，１２Ｂとを形成する受枠１０を設ける。受枠１０は背面部１１と直角な軸回りに揺動可能にして支持フレーム３に取り付け、その背面部１１には振動モータ１６を連結する。又、斜面部１２Ａ，１２Ｂに噴気口２３Ａ〜２３Ｅを形成し、その裏側には空気室２２を設け、その空気室２２を送風管２０を介してブロアモータ１９のケーシング１９Ａに接続する。更に、斜面部１２Ｂにはイオン生成電極２４Ｂを配置する。そして、そのコロナ放電により発生するイオンを噴気口２３Ｄから噴射されるエアと共に紙束Ｐの端面に吹き付ける。これにより帯電した紙束でもこれを一枚ずつ確実に分離してその縁を揃えることができる。【選択図】　図１
2004001984.tif 000002
【特許請求の範囲】
【請求項１】
紙束の直交する端面を傾斜状にして支持する二つの斜面部と前記紙束の裏面に対向する背面部とを形成する受枠と、前記斜面部から紙束の端面に向けてエアを吹き付けるための送風手段とを具備して成る紙束捌き装置において、前記受枠内に配置された紙束の帯電電荷を除去するための除電手段を備えることを特徴とする紙束捌き装置。
【請求項２】
除電手段が、紙束の端面に吹き付けられるエアに対してコロナ放電によるイオンを放出するイオン生成電極を備えたイオン発生器で成る請求項１記載の紙束捌き装置。
【請求項３】
除電手段が、紙束の端面に吹き付けられるエアに湿気を与えるための加湿器を備えて成る請求項１記載の紙束捌き装置。
【請求項４】
紙束の直交する端面を傾斜状にして支持する二つの斜面部と前記紙束の裏面に対向する背面部とを形成する受枠と、前記斜面部から紙束の端面に向けてエアを吹き付けるための送風手段とを具備して成る紙束捌き装置において、前記受枠の斜面部から噴出せしめるエアを加熱するための空気加熱器を備えることを特徴とする紙束捌き装置。
【請求項５】
紙束の直交する端面を傾斜状にして支持する二つの斜面部と前記紙束の裏面に対向する背面部とを形成する受枠を具備して成る紙束捌き装置において、前記受枠をその背面部に直角な軸回りに揺動可能にして設け、その揺動により前記斜面部の勾配を調整可能としたことを特徴とする紙束捌き装置。
【請求項６】
紙束の直交する端面を傾斜状にして支持する二つの斜面部と前記紙束の裏面に対向する背面部とを形成する受枠と、前記斜面部から紙束の端面に向けてエアを吹き付けるための送風手段とを具備して成る紙束捌き装置において、前記斜面部は長方形状を成す紙束に対応して一方が長尺な第一斜面部とされると共に他方が第一斜面部よりも全長の短い第二斜面部とされる一方、前記送風手段は前記斜面部の裏側に形成される空気室と、この空気室にエアを供給するための給気源とを有すると共に、前記斜面部には該斜面部を横断する方向にスリット状を成す複数条の噴気口が形成され、その各噴気口のうち第一斜面部の最上部と第二斜面部の最下部とに位置する噴気口の開口幅が他の噴気口よりも幅広に設定されて成ることを特徴とする紙束捌き装置。
【請求項７】
受枠に振動を与えるための加振手段を備えた請求項１、４、５、又は６記載の紙束捌き装置。
【請求項８】
紙束の直交する端面を傾斜状にして支持する二つの斜面部と前記紙束の裏面に対向する背面部とを形成する受枠と、この受枠に振動を与えるための加振手段とを具備して成る紙捌き装置において、前記背面部に受枠内に配置した紙束の紙面に接触する突起を設けたことを特徴とする紙捌き装置。
【請求項９】
紙束の直交する端面を傾斜状にして支持する二つの斜面部と前記紙束の裏面に対向する背面部とを形成する受枠と、この受枠に振動を与えるための加振手段とを具備して成る紙捌き装置において、前記受枠内に配置した紙束に対向する背面部の内面に、帯電防止層を形成したことを特徴とする紙捌き装置。
【発明の詳細な説明】
【０００１】
【発明の属する技術分野】
本発明は、新聞チラシやコピー用紙などの紙束を一枚ずつ分離すると同時にその縁を揃える紙束捌き装置に関する。
【０００２】
【従来の技術】
一般に、印刷した紙類を積み重ねて保管するなどした場合、紙同士が印刷インクや針穴又は静電気の作用により密着してしまい、製本時などに同種の用紙が二枚重ねのまま繰り出されて複丁を引き起こすことがある。又、丁合機などから排出される紙束は縁が不揃いであるものが多く、その縁揃えのために多大な時間と労力を費やしてしまうことがある。
【０００３】
そこで、新聞チラシやコピー用紙などの紙束の密着や不揃いを解消するため、特開平９−１６５１１９号公報や特開２００１−８０８１５号公報などに記載されるような装置が一般に広く利用されている。
【０００４】
係る装置は、概して紙束を配置するための受枠と、この受枠を振動させるための加振手段と、受枠内に配置された紙束の端面に向けてエアを吹き付ける送風手段とを有して成り、受枠には紙束の直交する端面を傾斜状にして支持する二つの斜面部が形成される。そして、その種の装置によれば、コピー用紙などの紙束がその一角を下向きにして受枠内に傾斜状の姿勢にして配置され、その状態で受枠の斜面部から紙束の端面に向けてエアを吹き付けつつ、受枠を振動させることにより、紙束を一枚ずつ分離しながらその縁を揃えることができる。
【０００５】
【発明が解決しようとする課題】
然し乍ら、上記のような従来装置によれば、紙束が互いの摩擦により帯電した場合、その紙束にエアを吹き付けたり振動を与えたりしても此れを良好に捌けず、時間を掛けてエアや振動を与え続けても紙束の縁が殆ど揃わない場合があった。
【０００６】
又、紙束を受枠内に配置するとき、腰の弱い紙では不揃いな縁が自重によって押し潰されたまま折れ曲がってしまうという欠点があった。
【０００７】
一方、受枠を振動させる加振手段としては、一般にロータ軸に偏心輪を取り付けたモータ（振動モータ）が利用されるが、これによる受枠の振動方向は重要であり、特に新聞チラシのように二つ折りの紙で複数枚の紙を挟み込んだタイプの紙束を捌く場合では、その紙束が受枠の中心部から斜面部の交差部分に向かって移動するような振動が与えられる。
【０００８】
しかし、その振動は受枠の中心部から斜面部の交差部分に向かう方向と、その逆方向とに繰り返し作用するため、斜面部の交差部分から受枠の中心部に向かう振動が作用したとき、受枠に配置した紙束、取り分け背面部側の数枚の紙が背面部との摩擦力や静電気の影響を受けて受枠内から迫り出されてしまうという問題があった。
【０００９】
このため、紙束の迫り出しを防止すべく受枠の背面部と紙束との間にプラスチック板を差し込む場合があるが、そのプラスチック板としては摩耗や変形を考慮して硬質のものが用いられるため、これが受枠の振動によりがたついて大きな騒音を発生することがあった。又、そのプラスチック板が紙束との摩擦で帯電し、これにより紙束の迫り出しが却って助長されてしまうこともあった。
【００１０】
本発明は以上のような事情に鑑みて成されたものであり、その主たる目的は帯電した不揃いの紙束でも此れを一枚ずつ確実に解してその縁を短時間で良好に揃え得るようにすることにある。
【００１１】
【課題を解決するための手段】
本発明は上記目的を達成するため、紙束の直交する端面を傾斜状にして支持する二つの斜面部と前記紙束の裏面に対向する背面部とを形成する受枠と、前記斜面部から紙束の端面に向けてエアを吹き付けるための送風手段とを具備して成る紙束捌き装置において、前記受枠内に配置された紙束の帯電電荷を除去するための除電手段を備えることを特徴とする。ここに、除電手段としては、紙束の端面に吹き付けられるエアに対してコロナ放電によるイオンを放出するイオン生成電極を備えたイオン発生器ほか、紙束の端面に吹き付けられるエアに湿気を与えるための加湿器が用いられる。
【００１２】
又、本発明は、紙束の直交する端面を傾斜状にして支持する二つの斜面部と前記紙束の裏面に対向する背面部とを形成する受枠と、前記斜面部から紙束の端面に向けてエアを吹き付けるための送風手段とを具備して成る紙束捌き装置において、前記受枠の斜面部から噴出せしめるエアを加熱するための空気加熱器を備えることを特徴とする。これによれば、空気加熱器による暖房効果で低温環境下でも捌き作業を苦痛なく行える上、湿った紙束や印刷インクを乾燥させて紙束の分離を促進させることができる。
【００１３】
更に、本発明は、紙束の直交する端面を傾斜状にして支持する二つの斜面部と前記紙束の裏面に対向する背面部とを形成する受枠を具備して成る紙束捌き装置において、前記受枠をその背面部に直角な軸回りに揺動可能にして設け、その揺動により前記斜面部の勾配を調整可能としたことを特徴とする。これによれば、紙束の厚さや重量により斜面部の双方に作用する紙束の圧力を均衡させて不揃い部分の折れ曲がりを防止することができる。
【００１４】
又、本発明は、紙束の直交する端面を傾斜状にして支持する二つの斜面部と前記紙束の裏面に対向する背面部とを形成する受枠と、前記斜面部から紙束の端面に向けてエアを吹き付けるための送風手段とを具備して成る紙束捌き装置において、前記斜面部は長方形状を成す紙束に対応して一方が長尺な第一斜面部とされると共に他方が第一斜面部よりも全長の短い第二斜面部とされる一方、前記送風手段は前記斜面部の裏側に形成される空気室と、この空気室にエアを供給するための給気源とを有すると共に、前記斜面部には該斜面部を横断する方向にスリット状を成す複数条の噴気口が形成され、その各噴気口のうち第一斜面部の最上部と第二斜面部の最下部とに位置する噴気口の開口幅が他の噴気口よりも幅広に設定されて成ることを特徴とする。これによれば、新聞チラシのように、二つ折りの紙で複数枚の紙を挟み込んだタイプの紙束でも第二斜面部の最下部に位置する噴気口から紙面間にエアを良好に導入できるほか、第一斜面部の最上部に位置する噴気口により第二斜面部側から噴出するエアの不足分を補うことができる。
【００１５】
尚、上記各紙捌き装置において、受枠に振動を与えるための加振手段を備えることが好ましい。
【００１６】
又、本発明は、紙束の直交する端面を傾斜状にして支持する二つの斜面部と前記紙束の裏面に対向する背面部とを形成する受枠と、この受枠に振動を与えるための加振手段とを具備して成る紙捌き装置において、前記背面部に受枠内に配置した紙束の紙面に接触する突起を設けるか、又はその突起に代えて前記受枠内に配置した紙束に対向する背面部の内面に、帯電防止層を形成することを特徴とする。
【００１７】
【発明の実施の形態】
以下、本発明の適用例を図面に基づいて詳細に説明する。図１は本発明に係る紙束捌き装置の好適な態様を示した斜視概略図である。図１において、１は本装置の土台を成す台枠であり、この台枠１には点線で表される移動用のキャスターが設けられるほか、後述する加振手段、送風手段、並びに除電手段を作動させるためのフットスイッチ２が設けられる。３は台枠１上に設置される中空角柱状の支持フレームであり、その上部側面には主電源スイッチ４と該スイッチを介して外部からの電力供給を受ける操作盤５とが設けられる。６は外部電源に接続するための電源コードであり、この電源コード６を通じて外部電源から上記各手段に駆動電力が分配される構成としてある。
【００１８】
ここに、操作盤５には上記各手段の運転を自動／手動に切り換えるための切換スイッチ７Ａほか、これによる自動運転設定時における上記各手段の動作時間を設定するタイマ調整ダイヤル７Ｂ、送風手段の出力（風量）を調整する風量調整ダイヤル７Ｃ、並びに除電切換スイッチ７Ｄ、及び温風切換スイッチ７Ｅが設けられる。尚、切換スイッチ７Ａを手動運転に設定したときには、フットスイッチ２の操作によりその押圧時間だけ上記各手段が作動する回路構成としてある。
【００１９】
又、自動運転には二つの設定モードがあり、その一つは上記各手段を設定時間内で全て作動させる回路構成とされ、他の一つは加振手段などを作動させずに送風手段のみを作動させる回路構成とされる。尚、何れのモードでも除電手段は作動可能であるが、これは除電切換スイッチ７Ｄにより、適宜停止することができる。
【００２０】
一方、支持フレーム３の上部前面には、処理対象と成す紙束Ｐを配置するための受枠１０が設けられる。受枠１０は、支持フレーム３の上部前面に臨む背面部１１と、この背面部の下縁に沿う二つの斜面部１２Ａ，１２Ｂと、この両斜面部の前側縁に沿う二つの前面部１３Ａ，１３Ｂとを形成し、それらで囲まれる領域に新聞チラシなどの紙束がその一角を下にして傾斜姿勢で配置される構成としてある。特に、背面部１１の上部には受枠１０に対する紙束の出し入れを容易にすべく切欠き１４が形成され、その形成位置で紙束Ｐを手で掴み得るようにしてある。ここに、斜面部１２Ａ，１２Ｂは互いに直交して紙束Ｐの直交する端面を傾斜状にして支持し、その状態にして背面部１１と前面部１３Ａ，１３Ｂがそれぞれ紙束Ｐの裏面と表面とに対向するようになっている。又、前面部１３Ａ，１３Ｂと紙束Ｐとの間には紙束の崩落を防ぐために押え板１５が挟み込まれる構成としてある。
【００２１】
そして、係る捌き装置によれば、加振手段により受枠１０を振動させつつ、送風手段により受枠１０内に配置された紙束Ｐの端面に向けてエアを吹き付け、必要に応じてそのエアを加熱し、更に除電手段により紙束Ｐの帯電電荷を除去して紙束を一枚ずつ分離しながらその縁を良好に揃え得るようになっている。
【００２２】
図２において、１６は加振手段としての振動モータであり、そのロータ軸１６Ａは偏心輪１７を有して受枠の背面部１１に結合されている。又、受枠の背面部１１と支持フレーム３とは防振ゴム１８を介して連結され、振動モータ１６により与えられる受枠１０の振動が支持フレーム３側に伝播するのを抑制できるようにしてある。一方、送風手段は、支持フレーム３の下部に内蔵されるブロアモータ１９を給気源として、このブロアモータ１９を収めたケーシング１９Ａと受枠１０を送風管２０で連結することにより構成される。本例において、送風管２０は金属パイプなどで成る剛性部２０Ａと、これに接続するゴムホースなどの可撓性を有した柔軟部２０Ｂとで成り、柔軟部２０Ｂは支持フレーム３より引き出されて受枠１０に接続される。尚、ブロアモータ１９に代えてエアコンプレッサを用いても良い。
【００２３】
図３で明らかなように、受枠の斜面部１２Ａ，１２Ｂにはその裏側にそれぞれ隔壁２１で覆われる空気室２２が形成され、その空気室２２に送風管の柔軟部２０Ｂが接続される。又、図４で明らかなように、受枠の斜面部１２Ａ，１２Ｂにはこれを横断する方向に延びるスリット状の噴気口２３Ａ〜２３Ｅが形成され、ブロアモータ１９から空気室２２に送り込まれたエアがその各噴気口２３Ａ〜２３Ｅより紙束の端面に向けて噴出するようにしてある。
【００２４】
特に、本例において、斜面部１２Ａ，１２Ｂの長さは長方形状の紙束に対応して相違させてあり、その一方（１２Ａ）が長尺な第一斜面部、他方（１２Ｂ）が短尺な第二斜面部とされる。そして、斜面部１２Ａの最上部と斜面部１２Ｂの最下部とに位置する噴気口２３Ａ，２３Ｅの開口幅が他の噴気口２３Ｂ，２３Ｃ，２３Ｄよりも幅広に設定される。これは、新聞チラシのように二つ折りの紙で複数枚の紙を挟み込んだタイプの紙束に対応するものである。
【００２５】
つまり、その種の紙束では二つ折りの紙（折紙という）がその折線を下にして斜面部１２Ａ上に置かれるので、当該斜面部１２Ａ側から噴出されるエアの多くが折紙の外面を通過するだけとなる結果、折紙内部の各紙面間の気圧が相対的に低くなり、紙面同士が密着する方向に作用するために却って紙揃えが悪くなってしまう。このため、紙面一枚一枚が現れる斜面部１２Ｂ側の噴気口２３Ｃ〜２３Ｅから噴出されるエアが重要であり、しかもエアが入り難い折紙の折り目付近に多くのエアを供給する必要があるため、噴気口２３Ｅの開口幅を広く設定しているのである。尚、噴気口２３Ｅの形成位置は斜面部１２Ａ，１２Ｂの仮想交点より５ｃｍ程度上がよい。又、斜面部１２Ｂからのエアは紙面間を通過する際に減衰するので、紙束の反対側端面まで到達する風量は少ない。そこで、これを補うため噴気口２３Ａの開口幅も広く設定されるのである。
【００２６】
一方、図２において、２４は除電手段としてのイオン発生器（本例において直流コロナ放電型）であり、このイオン発生器２４は支持フレーム３の上部に内蔵される機器本体２４Ａ（電源部）と、受枠１０に配置される棒状のイオン生成電極２４Ｂとで構成される。イオン生成電極２４Ｂは、タングステンエミッタやセラミックスエミッタで成り、これは本例において図３に示すよう噴気口２３Ｄに沿って形成した斜面部１２Ｂの溝部分に埋め込まれる。そして、このイオン発生器２４によれば、機器本体２４Ａによりイオン発生電極２４Ｂに放電電圧が印加され、これによってイオン生成電極２４Ｂがコロナ放電を起こして正負のイオンを生成し、これを噴気口２３Ｄから噴射されるエア中に放出する。このため、印刷紙などで成る紙束が摩擦によって帯電しても、その帯電電荷を除去して紙束を確実に分離させることができる。
【００２７】
又、図３、図４から明らかなように、受枠における背面部１１の内面には紙束の紙面に接触する横長の突起１１Ａが設けられる。図５はその断面を示す。この図で明らかなように、突起１１Ａは三角形状の断面をもち、しかも受枠１０の振動方向（主に上下方向）に対して直交するよう水平方向に所定の長さだけ連続して形成される。そして、この突起１１Ａ（凸条）によれば、その稜線ｔを紙束の紙面に接触させて背面部１１と紙束Ｐとの間に一定の間隙を形成し、背面部１１から紙束Ｐに作用する振動の伝播を減少させて紙束Ｐが背面部１１側で上方に迫り出されるのを防止する働きをする。
【００２８】
尚、突起１１Ａは大きすぎても小さすぎても好ましくなく、受枠１０の形状やこれに作用する振幅の大きさによっても異なるが、概ね幅１５ｍｍ、高さ３ｍｍ程度が適当である。又、突起１１Ａを設ける位置は背面部１１の端、それも背面部１１の中心部を挟んで斜面部１２Ａ，１２Ｂの交差部分に対向する上部がよい。これは、受枠１０に作用する振動の方向が一般に背面部１１の中心部と斜面部１２Ａ，１２Ｂの交差部分とを結ぶ上下方向とされ、その上部側で紙束Ｐを受枠１０から迫り出すような大きな振幅が生ずるためである。しかも、受枠１０は背面部１１側に稍傾けられるため、突起１１Ａを背面部１１の上部に設けると、紙束Ｐが鉛直に近い状態に立ち、背面部１１と紙束Ｐとの接触力が弱まって背面部１１から紙束Ｐへの振動伝播を一層減ずることができる。
【００２９】
因に、突起１１Ａはプレス加工などにより背面部１１と一体に形成されるが、突起１１Ａを形成した板金を両面テープなどにて背面部１１に固定するようにしてもよい。
【００３０】
一方、以上のような突起１１Ａに代えて、受枠１０内の紙束Ｐに対向する背面部１１の内面に帯電防止層を形成しても良く、これによっても静電気による背面部１１と紙束Ｐの吸着を防いで、その紙束Ｐが背面部１１側で上方に迫り出されるのを阻止することができる。尚、上記の帯電防止層は木板、布地、又は紙などを背面部１１の内面に張り付けるなどして容易に形成することができる。
【００３１】
次に、図６〜図８は受枠の取付部分を示す。これらの図において、２５は支持フレーム３の前面に沿って左右に揺動するスイングプレートであり、このスイングプレート２５はその両側に取り付けられる防振ゴム１８を介して受枠の背面部１１に連結され、以て受枠の斜面部１２Ａ，１２Ｂの勾配を調整可能とする角度調整手段を構成する。図６に示すように、防振ゴム１８の両端には受枠の背面部１１とスイングプレート２５とに取り付けるための座板２６，２７が設けられ、座板２７にはスイングプレート２５の裏側に突出するガイドピン２８が設けられる。又、支持フレーム３にはガイドピン２８を通す円弧状の長孔２９が形成され、その長孔２９に沿ってスイングプレート２５が左右に揺動可能とされる。
【００３２】
一方、スイングプレート２５にもその左右両側に円弧状の長孔３０が形成され、支持フレーム３には長孔３０に通されるネジ軸３１が固定される。ネジ軸３１にはスイングプレート２５を介して図７、図８に示されるハンドル３２が取り付けられ、そのハンドル３２をネジ軸３１の回りに回動操作することにより、スイングプレート２５を支持フレーム３に締結したり、その締結を解除できるようになっている。そして、スイングプレート２５の締結を解除したとき、図９のようにスイングプレート２５と此れに結合する受枠１０とがそれぞれ背面部１１に直角な軸回り（図９の矢印方向）に揺動し、これによって斜面部１２Ａ，１２Ｂの勾配が変化するようになっている。ここで、その角度調整可能範囲は、本例において一方の斜面部１２Ａが１０〜３０度、他方の斜面部１２Ｂが６０〜８０度に設定される。尚、送風管２０は上記の如く受枠１０に接続する側が柔軟部２０Ｂとされて受枠１０の揺動を許容する。
【００３３】
又、図６、図８において、３３は振動モータ１６を固定する取付枠であり、これは受枠の背面部１１に固定され、支持フレーム３には振動モータ１６とその取付枠３３とを導入するための開口部３４が形成される。
【００３４】
次に、図２において、３５は送風手段により紙束に吹き付けるエアを加熱するため空気加熱器であり、これはケーシング１９Ａ内にあってブロアモータ１９の排気側に設けられる。尚、ケーシング１９Ａ内に空気加熱器３５を配置するスペースを確保できない場合、その空気加熱器３５を軸流ヒータとして送風管２０に内蔵することもできる。因に、その空気加熱器３５は振動モータ１６やブロアモータ１９と一緒に作動する構成とされるが、外気温が高い場合など必要のないときは温風切換スイッチ７Ｅにより空気加熱器３５を不作動とすることができる。
【００３５】
又、図２において、３６は加湿器であり、この加湿器３６は管路３７を介して送風管（剛性部２０Ａ）に接続されることにより除電手段を構成する。そして、その加湿器３６は発生した蒸気を管路３７から送風管２０内に送り、これを紙束に吹き付けられるエアに混合し、以て紙束に適度な水分を与えてその帯電を防止する働きをする。尚、除電手段としてのイオン発生器２４は有用であるも高価であるから、除電に対してそれほどの効果を必要としないユーザのために、加湿器３６は簡易な除電手段として備えられる。但し、図２のようにイオン発生器２４と加湿器３６の双方を備える構成でもよいし、その何れか一方のみを備える構成でもよい。
【００３６】
ここで、以上のように構成される捌き装置の作用を説明する。先ず、使用に際して新聞チラシなどの紙束をその短辺側が斜面部１２Ｂに対向するようにして受枠１０内にセットするが、紙束の短辺側が著しく不揃いである場合、予め受枠１０を揺動させて斜面部１２Ｂを可能な限り急勾配に調整する。これにより、斜面部１２Ｂに作用する荷重を小さくして紙束の自重による不揃い部分の折れ曲がりを防止できる。
【００３７】
斯くて、紙束を受枠１０内にセットしたら、受枠の前面部１３Ａ，１３Ｂと紙束Ｐとの間に押え板１５を置いて紙束Ｐを軽く押さえた後、紙束Ｐの性状に応じた処理条件を操作盤５で設定してフットスイッチ２を押圧する。これにより、ブロアモータ１９が起動し、このブロアモータ１９から送風管２０を通じて空気室２２にエアが送り込まれ、このエアが噴気口２３Ａ〜２３Ｅより噴出して紙束Ｐの端面に吹き付けられる。又、イオン生成電極２４Ｂがコロナ放電を起こし、これにより発生したイオンが噴気口２３Ｄから噴出するエアと共に紙束Ｐの各紙面間に吹き付けられ、紙束Ｐの帯電電荷が除去される。更に、振動モータ１６の起動により、受枠１０に振動が与えられ、これが紙束Ｐに伝播する。尚、背面部１１と紙束とは突起１１Ａ又は帯電防止層により密着を防止され、背面部１１から紙束Ｐへの振動の伝播は減ぜられる。
【００３８】
この結果、受枠１０内の紙束Ｐは背面部１１側で上方に迫り出されず、エア（空気加熱器３５による加熱空気、又は加湿器３６による加湿空気を含む）、イオン、及び振動の作用により一枚ずつに良好に分離されながら短時間でその縁が揃えられる。尚、紙束Ｐの不揃いの程度や紙面間の密着度が通常より小さい場合や大きい場合には、フットスイッチ２により適当な時間だけ手動運転を行うと良い。
【００３９】
以上、本発明の適用例を説明したが、係る捌き装置は上記例に限らず、加振手段として電磁型バイブレータを用いるなどしてもよい。又、送風手段としてファンを用い、これを受枠における斜面部１２Ａ，１２Ｂの裏側に直に取り付けるようにしてもよい。更に、除電手段として上記のようなイオン発生器２４や加湿器３６ほか、種々の除電器を用いることができる。
【００４０】
【発明の効果】
以上の説明で明らかなように、本発明に係る紙束捌き装置によれば、紙束に振動を与える加振手段や紙束の端面にエアを吹き付ける送風手段に加え、紙束の帯電電荷を除去する除電手段を備えていることから、印刷紙などのように帯電性が強い紙束でもこれを一枚ずつ分離してその縁を短時間で揃えることができる。
【００４１】
特に、除電手段が、イオン生成電極を備えたイオン発生器で成り、そのイオン生成電極が紙束の端面に吹き付けられるエアに対してコロナ放電によるイオンを放出するようにしていることから、発生したイオンをエアに乗せて紙束の各紙面間に良好に導くことができる。
【００４２】
又、受枠をその背面部に直角な軸回りに揺動可能にして設け、その揺動により斜面部の勾配を調整可能としていることから、その角度調整により斜面部の一方に作用する紙束の圧力を緩和して不揃い部分の折れ曲がりを防止できる。
【００４３】
更に、紙束に吹き付けられるエアを加熱するための空気加熱器を備えていることから、これによる暖房効果により低温環境下でも作業を快適に行える上、紙束や此れに施された印刷インクを乾燥させて、紙束の分離を促進させることができる。
【００４４】
又、受枠における背面部の内面に紙束の紙面と接触する突起、又はその突起に代わる帯電防止層を形成したことにより、背面部と紙束との密着が防止され、背面部から紙束への振動伝播が減少されるために、背面部側の紙束が上方に迫り出されるのを確実に防止することができる。
【図面の簡単な説明】
【図１】本発明に係る紙束捌き装置の好適な態様を示した斜視図
【図２】同装置の内部構造を示した側面概略図
【図３】受枠を部分的に破断して示した正面図
【図４】受枠の斜視図
【図５】図３におけるＸ−Ｘ線拡大断面図
【図６】受枠の取付部分を示した斜視分解図
【図７】受枠の取付部分を示した平面図
【図８】受枠の取付部分を示した正面図
【図９】受枠の揺動状態を示した正面図
【符号の説明】
１　台枠
２　フットスイッチ
３　支持フレーム
１０　受枠
１１　背面部
１１Ａ　突起
１２Ａ，１２Ｂ　斜面部
１４　切欠き
１６　振動モータ（加振手段）
１９　ブロアモータ（送風手段の給気源）
２０　送風管
２０Ａ　剛性部
２０Ｂ　柔軟部
２２　空気室
２３Ａ〜２３Ｅ　噴気口
２４　イオン発生器（除電手段）
２４Ｂ　イオン生成電極
３５　空気加熱器
３６　加湿器（除電手段）
【図１】
2004001984.tif 000003
【図２】
2004001984.tif 000004
【図３】
2004001984.tif 000005
【図４】
2004001984.tif 000006
【図５】
2004001984.tif 000007
【図６】
2004001984.tif 000008
【図７】
2004001984.tif 000009
【図８】
2004001984.tif 000010
【図９】
2004001984.tif 000011